(57)【要約】【課題】開口を十分に開いて通気をすることができるようにした建物の開口装置を提供する。【解決手段】開口部１を横引にて開閉する開口建具２０の外側に横引の網戸３０を備えた建物の開口装置１０において、開口建具２０を開口部１より張り出して横引き可能に設け、網戸３０は開口建具２０が張り出したときに空く開口部分を塞ぐ横巾寸法にした。【選択図】図１
2008267019.tif 000002
【特許請求の範囲】
【請求項１】
開口部を横引にて開閉する開口建具の外側に横引の網戸を備えた建物の開口装置において、
前記開口建具を開口部より張り出して横引き可能に設け、前記網戸は該開口建具が張り出したときに空く開口部分を塞ぐ横巾寸法にしたことを特徴とする建物の開口装置。
【請求項２】
開口部を横引にて開閉する開口建具の外側に横引の網戸を備えた建物の開口装置において、
前記開口建具は一枚で開口部より張り出して横引き可能に設け、前記網戸は該開口建具が張り出したときに空く開口部分を塞ぐ横巾寸法にしたことを特徴とする建物の開口装置。
【請求項３】
開口部を横引にて開閉する開口建具の外側に横引の網戸を備えた建物の開口装置において、
前記開口建具は複数枚として開口部より張り出して横引き可能に設け、前記網戸は該開口建具が張り出したときに空く開口部分を塞ぐ横巾寸法にしたことを特徴とする建物の開口装置。
【請求項４】
前記開口建具は建物の開口部が全て空いて張り出すよう設けられていることを特徴とする請求項１，２または３に記載の建物の開口装置。
【発明の詳細な説明】
【技術分野】
【０００１】
本発明は、開口部を横引にて開閉する開口建具の外側に横引の網戸を備えた建物の開口装置に関する。
【背景技術】
【０００２】
従来の技術としては、例えば特許文献１に示すようなものがある。  
すなわち、特許文献１には、建物の開口を引き違い方式のサッシ障子で開閉するようにし、一方の障子を開いたときの空いた開口を塞ぐ網戸を２枚にした技術が開示されている。該技術によれば、いずれの障子を開いた場合でも網戸で開口を塞ぐことができ、また各障子を重ねて中間位置とし、両側に空いた開口を２枚の網戸でそれぞれ塞ぐことができるようにしたものである。
【０００３】
【特許文献１】特開２００２−６１４７４号
【発明の開示】
【発明が解決しようとする課題】
【０００４】
しかしながら、このような従来の技術では、障子をどのように開いた場合でも、開口の半分しか開くことができず、開口を半分以上開いて通気することができないという問題点があった。
【０００５】
本発明は、このような従来の技術が有する問題点に着目してなされたもので、開口を十分に開いて通気をすることができるようにした建物の開口装置を提供することを目的としている。
【課題を解決するための手段】
【０００６】
かかる目的を達成するための本発明の要旨とするところは、次の各項の発明に存する。
[１]  開口部（１）を横引にて開閉する開口建具（２０）の外側に横引の網戸（３０）を備えた建物の開口装置（１０）において、
前記開口建具（２０）を開口部（１）より張り出して横引き可能に設け、前記網戸（３０）は該開口建具（２０）が張り出したときに空く開口部分を塞ぐ横巾寸法にしたことを特徴とする建物の開口装置（１０）。
【０００７】
[２]  開口部（１）を横引にて開閉する開口建具（２０）の外側に横引の網戸（３０）を備えた建物の開口装置（１０）において、
前記開口建具（２０）は一枚で開口部（１）より張り出して横引き可能に設け、前記網戸（３０）は該開口建具（２０）が張り出したときに空く開口部分を塞ぐ横巾寸法にしたことを特徴とする建物の開口装置（１０）。
【０００８】
[３]  開口部（１）を横引にて開閉する開口建具（２０）の外側に横引の網戸（３０）を備えた建物の開口装置（１０）において、
前記開口建具（２０）は複数枚として開口部（１）より張り出して横引き可能に設け、前記網戸（３０）は該開口建具（２０）が張り出したときに空く開口部分を塞ぐ横巾寸法にしたことを特徴とする建物の開口装置（１０）。
【０００９】
[４]  前記開口建具（２０）は建物の開口部（１）が全て空いて張り出すよう設けられていることを特徴とする[１]，[２]または[３]に記載の建物の開口装置（１０）。
【００１０】
前記本発明は次のように作用する。  
建物の開口装置（１０）は、開口部（１）を横引にて開閉する開口建具（２０）の外側で横引に網戸（３０）が開閉する。開口建具（２０）は開口部（１）より張り出して横引き可能に設けられていて、網戸（３０）はこの開口建具（２０）が張り出したときに空く開口部分を塞ぐ。このため、網戸（３０）は、横巾寸法が従来のものに比べて大きくなっている。
【００１１】
開口建具（２０）は一枚とすることができ、開口部（１）より張り出して横引き可能であり、網戸（３０）は開口建具（２０）が張り出したときに空く開口部分を塞ぐ横巾寸法になっている。
【００１２】
また、開口建具（２０）は複数枚で、いずれかの開口建具（２０）が開口部（１）より張り出して横引き可能であり、網戸（３０）は開口建具（２０）が張り出したときに空く開口部分を塞ぐ横巾寸法になっていて、大きく開口部分が開いた場合でもそれを塞ぐことができる。
【００１３】
また、開口建具（２０）は建物の開口部（１）が全て空いて張り出すよう設けることができ、網戸（３０）は全て開いた開口部（１）を塞ぐことができる。
【発明の効果】
【００１４】
本発明にかかる建物の開口装置によれば、開口建具および網戸を建物の開口部より張り出して横引き可能としたので、建物の開口部を十分に開くことができるとともに、虫等が入ってこないように網戸で塞ぐことができ、また、網戸を開いて自在に出入することができる。
【発明を実施するための最良の形態】
【００１５】
以下、図面に基づき本発明の好適な各種の実施の形態を説明する。
図１〜図３は本発明の第１の実施の形態を示している。  
第１の実施の形態では、建物の開口装置１０は、建物の開口部１を一枚の横引にて開閉するガラス戸である開口建具２０の外側に１枚の横引の網戸３０を備えて成る。また、網戸３０の外側には雨戸４０が設置してある。
【００１６】
開口建具２０は開口部１より張り出して横引き可能に設けられており、張り出す寸法ｔ１は開口部１の開口巾ａ１と同一であり、開口建具２０を張り出して開口部１を全部開口させることができる。
【００１７】
網戸３０の横巾寸法ｓ１は、開口建具２０が張り出したときに空く開口部分を塞ぐよう、開口部１の開口巾ａ１と同一になっている。したがって、開口建具２０と網戸３０の横巾はほぼ同一である。
【００１８】
雨戸４０は一枚で、開口部１を塞ぐよう、開口巾ａ１と同一の横巾にしてある。
【００１９】
次に作用を説明する。  
建物の開口装置１０は、開口部１を横引にて開閉する開口建具２０の外側で横引に網戸３０が開閉し、さらにその外側で雨戸４０が開閉する。
【００２０】
開口建具２０は１枚で、開口部１より張り出して横引き可能で、図１では、開口建具２０は外側に張り出して全開され、空いた開口部１を網戸３０が塞いでいる。開口建具２０は気候に応じて開閉具合を決めることができ、開口建具２０の開閉度にかかわらず、網戸３０は、開口建具２０が張り出したときに開口部１に空く開口部分を塞ぐ。このため、網戸３０は、横巾寸法ｓ１が従来のものに比べて大きくなっていて、従来であれば開口巾ａ１の半分であるところが同一となっている。
【００２１】
図３に示すように、開口建具２０を開いているとき、網戸３０を開けば、出入等をするための開放部分ｏができる。必要により開口部１を全開することもできる。
【００２２】
図４は第２の実施の形態を示しており、開口建具が開口建具２０ａと２０ｂとの２枚で重ね合わせて引き違い開閉できるよう構成されている。張り出す寸法ｔ２は第１の実施の形態の約半分でよい。網戸３０は全開しても開口部１を全開することはない。
【００２３】
開口建具が複数枚であるので、いずれかの開口建具２０ａ、２０ｂが開口部１より張り出して横引き可能であり、網戸３０は開口建具２０ａ、２０ｂが張り出したときに空く開口部分を塞ぐ横巾になっていて、大きく開口部分が開いた場合でもそれを塞ぐことができる。
【００２４】
なお、前記実施の形態では、開口部１を全開するものを例示したが、従来であれば半開しかしないものをより広く開くようにするものであり、寸法ｔ１の寸法は開口巾ａ１より小さくして適宜に設定することができる。
【図面の簡単な説明】
【００２５】
【図１】本発明の第１の実施の形態に係る建物の開口装置を示す正面図であり、開口建具を開いて網戸で空いた開口部分を塞いだ状態を示している。
【図２】本発明の第１の実施の形態に係る建物の開口装置を示す断面説明図である。
【図３】本発明の第１の実施の形態に係る建物の開口装置を示す正面図であり、開口建具を開き網戸を半開した状態を示している。
【図４】本発明の第２の実施の形態に係る建物の開口装置を示す正面図である。
【符号の説明】
【００２６】
ａ１…開口巾
ｏ…開放部分
ｓ１…横巾寸法
ｔ１，ｔ２…張り出す寸法
１…開口部
１０…開口装置
２０…開口建具
３０…網戸
４０…雨戸
【図１】
2008267019.tif 000003
【図２】
2008267019.tif 000004
【図３】
2008267019.tif 000005
【図４】
2008267019.tif 000006